(57)【特許請求の範囲】
【請求項１】
回覧用情報が付加された回覧用画像を受信したときには、受信した回覧用画像を、回覧用情報により示される転送先に転送するファクシミリ装置において、
回覧用情報の作成に必要なデータが含まれた情報を回覧先情報とし、回覧先情報が含まれた情報を回覧先登録用情報とするとき、
回覧先登録用情報を受信したときには、回覧先登録用情報から回覧先情報を取り出して記憶する記憶手段と、
回覧用画像の回覧の起点となるときには、前記記憶手段によって記憶された回覧先情報に基づいて回覧用情報を作成する回覧用情報作成手段と、
回覧先登録用情報を受信したときには、回覧先登録用情報の受信を示す受取情報を送信する手段と、
回覧先登録用情報の送信の起点となった状態において、他のファクシミリ装置から前記受取情報を受信したときには、受信した受取情報を報知する報知手段とを備えたことを特徴とするファクシミリ装置。
【請求項２】
回覧用情報が付加された回覧用画像を受信したときには、受信した回覧用画像を、回覧用情報により示される転送先に転送するファクシミリ装置において、
回覧用情報の作成に必要なデータが含まれた情報を回覧先情報とし、回覧先情報が含まれた情報を回覧先登録用情報とするとき、
回覧先登録用情報を受信したときには、回覧先登録用情報から回覧先情報を取り出して記憶する記憶手段と、
回覧用画像の回覧の起点となるときには、前記記憶手段によって記憶された回覧先情報に基づいて回覧用情報を作成する回覧用情報作成手段と、
回覧先登録用情報と回覧テスト画像とを受信したときには、受信した回覧テスト画像を画像メモリに記憶すると共に、受信した回覧先登録用情報と回覧テスト画像とを送信する手段と、
回覧テスト画像の送信を完了したときには、前記画像メモリに記憶した回覧テスト画像を、報知することなく消去する手段とを備えたことを特徴とするファクシミリ装置。
【請求項３】
回覧先登録用情報を受信したときには、受信した回覧先登録用情報に含まれる自らの回線番号を削除し、前記記憶手段には転送先の回線番号として１回線分のみを記憶することを特徴とする請求項１または２記載のファクシミリ装置。
【請求項４】
回覧先登録用情報を受信したときには、受信した回覧先登録用情報により示される転送先に回覧先登録用情報を転送することを特徴とする請求項１または２記載のファクシミリ装置。
【請求項５】
回覧先登録用情報と回覧用画像とを受信したときには、受信した回覧先登録用情報と回覧用画像とを、回覧先登録用情報により示される転送先に転送することを特徴とする請求項１または２記載のファクシミリ装置。
【発明の詳細な説明】
【０００１】
【発明の属する技術分野】
本発明は、回覧用情報が付加された回覧用画像を受信したときには、受信した回覧用画像を、回覧用情報により示される転送先に転送するファクシミリ装置に関するものである。
【０００２】
【従来の技術】
回覧転送モードを有するファクシミリ装置の従来技術に、特開平７−１１１５７５号として提案された技術がある。この技術を、回覧元を含めた４台のファクシミリ装置に適用して、回覧転送を行う場合について説明する。
【０００３】
回覧元のファクシミリ装置は、回覧したい画像情報と回覧宛先リスト情報とを、自らを除いた３台のファクシミリ装置のうちの１台（回覧先）に送信する。なお、回覧宛先リスト情報は、自らを含めた４台のファクシミリ装置のファクシミリ番号を示すように構成されている。そして、上記画像情報と回覧宛先リスト情報とを受信したファクシミリ装置は、受信した回覧宛先リスト情報にリストされたファクシミリ装置のうち、画像情報が送信されていないファクシミリ装置（回覧先）に、受信した画像情報と回覧宛先リスト情報とを送信する。
【０００４】
すなわち、回覧先のファクシミリ装置の各々が、さらに次の回覧先となるファクシミリ装置に送信を行うようになっている。このため、画像情報の回覧における通信コストの負担が、それぞれのファクシミリ装置に、ほぼ等しくなるように分担される。従って、回覧元のファクシミリ装置が、回覧の通信コストの全てを負担しなければならないという問題が解消される。
【０００５】
【発明が解決しようとする課題】
しかしながら上記技術を用いた場合には、以下に示す問題が生じていた。すなわち、４台のファクシミリ装置の各々は、回覧元になろうとするときには、それぞれにおいて回覧宛先リスト情報を作成する必要がある。従って、一般的には、回覧グループに属するファクシミリ装置のそれぞれが、個々に、回覧宛先リスト情報を作成する必要が生じる。このため、回覧グループが、例えば、１つの企業内のグループとなる場合、企業単位で見るときには、企業における回覧宛先リスト情報の作成のための手間が大きなものとなっていた。
【０００６】
また、回覧宛先リスト情報の作成時に入力ミスがあった場合、入力ミスを犯した側のファクシミリ装置が回覧元となるときには、回覧グループ外のファクシミリ装置に画像情報が転送される恐れが生じる。また、このときには、回覧グループ内のファクシミリ装置であるにも係わらず、画像情報が転送されないファクシミリ装置が生じることになる。
【０００７】
本発明は上記課題を解決するため創案されたものであって、その目的は、回覧グループに属するファクシミリ装置のうちの１台において、回覧グループに属するファクシミリ装置に関するデータを入力するのみで、回覧グループに属するファクシミリ装置の全てが回覧の起点になることのできるファクシミリ装置を提供することにある。
【０００８】
また、上記目的に加え、回覧先登録用情報を用いて回覧グループを構築するときの通信コストを分担させることのできるファクシミリ装置を提供することにある。
【０００９】
また、上記目的に加え、回覧先登録用情報の受信状況を確認することのできるファクシミリ装置を提供することにある。
【００１０】
また、上記目的に加え、回覧グループを構築するとき、回覧用画像の回覧を併せて行うことのできるファクシミリ装置を提供することにある。
【００１１】
また、上記目的に加え、不要な画像の画像メモリへの残留を防止することのできるファクシミリ装置を提供することにある。
【００１２】
【課題を解決するための手段】
上記課題を解決するため本発明に係るファクシミリ装置は、回覧用情報が付加された回覧用画像を受信したときには、受信した回覧用画像を、回覧用情報により示される転送先に転送するファクシミリ装置に適用し、回覧用情報の作成に必要なデータが含まれた情報を回覧先情報とし、回覧先情報が含まれた情報を回覧先登録用情報とするとき、回覧先登録用情報を受信したときには、回覧先登録用情報から回覧先情報を取り出して記憶する記憶手段と、回覧用画像の回覧の起点となるときには、前記記憶手段によって記憶された回覧先情報に基づいて回覧用情報を作成する回覧用情報作成手段と、回覧先登録用情報を受信したときには、回覧先登録用情報の受信を示す受取情報を送信する手段と、回覧先登録用情報の送信の起点となった状態において、他のファクシミリ装置から前記受取情報を受信したときには、受信した受取情報を報知する報知手段とを備えている。
【００１３】
すなわち、回覧先登録用情報を受信するのみで、受信した装置は、回覧用情報の作成が可能な状態となる。また、報知手段の報知によって、回覧グループにおける回覧先登録用情報の受信の様子を知ることができる。
【００１４】
また、本発明に係るファクシミリ装置は、回覧用情報が付加された回覧用画像を受信したときには、受信した回覧用画像を、回覧用情報により示される転送先に転送するファクシミリ装置に適用し、回覧用情報の作成に必要なデータが含まれた情報を回覧先情報とし、回覧先情報が含まれた情報を回覧先登録用情報とするとき、回覧先登録用情報を受信したときには、回覧先登録用情報から回覧先情報を取り出して記憶する記憶手段と、回覧用画像の回覧の起点となるときには、前記記憶手段によって記憶された回覧先情報に基づいて回覧用情報を作成する回覧用情報作成手段と、回覧先登録用情報と回覧テスト画像とを受信したときには、受信した回覧テスト画像を画像メモリに記憶すると共に、受信した回覧先登録用情報と回覧テスト画像とを送信する手段と、回覧テスト画像の送信を完了したときには、前記画像メモリに記憶した回覧テスト画像を、報知することなく消去する手段とを備えている。
【００１５】
すなわち、回覧先登録用情報を受信するのみで、受信した装置は、回覧用情報の作成が可能な状態となる。また、回覧テスト画像の送信が完了したため、画像メモリから回覧テスト画像を消去したときには、画像メモリは空となる。
【００１６】
また、上記構成において、回覧先登録用情報を受信したときには、受信した回覧先登録用情報に含まれる自らの回線番号を削除し、前記記憶手段には転送先の回線番号として１回線分のみを記憶している。
【００１７】
これにより、受信した回覧先登録用情報を確実に次の回覧先に転送することができる。
【００１８】
また、上記構成に加え、回覧先登録用情報を受信したときには、受信した回覧先登録用情報により示される転送先に回覧先登録用情報を転送している。
【００１９】
すなわち、回覧先登録用情報は、回覧グループ内において順次転送される。
【００２０】
また、上記構成に加え、回覧先登録用情報と回覧用画像とを受信したときには、受信した回覧先登録用情報と回覧用画像とを、回覧先登録用情報により示される転送先に転送している。
【００２１】
すなわち、回覧先登録用情報が回覧されるときには、併せて、回覧用画像も回覧される。
【００２４】
【発明の実施の形態】
以下に本発明の実施の形態を、図面を参照しつつ説明する。
【００２５】
図７は、本発明に係るファクシミリ装置の一実施形態の電気的構成を示すブロック線図であり、グループ３ファクシミリ装置としての機能を備えた装置を示している。
【００２６】
図において、システムメモリ１０は、制御部９により実行される制御プログラムを記憶するブロックとなっている。また、制御プログラムを実行するときに必要となる各種のデータの記憶を行う。また、制御プログラムを実行するときのワークエリアを構成する。
【００２７】
パラメータメモリ５は、グループ３ファクシミリ装置に固有な各種の情報を記憶するためのメモリとなっている。また、回覧用画像に付加する回覧用情報の作成に必要な回覧先情報を記憶するための回覧先情報記憶部１１を備えている。
【００２８】
スキャナ１は、所定の解像度で原稿画像を読み取るためのブロックとなっている。また、印字部２は、所定の解像度で画像を記録出力するためのブロックとなっている。また、操作表示部３は、ファクシミリ装置としての各種の動作の指示やデータが入力されるブロックとなっており、複数の操作キー、および、表示器を備えている。
【００２９】
符号化復号化部８は、画像信号を符号化圧縮するブロックとなっている。また、符号化圧縮された画像信号を復号化することによって、圧縮前の画像信号を復元する。画像メモリ４は、符号化圧縮された画像信号を、多頁分に渡って記憶するブロックとなっている。
【００３０】
ＦＡＸモデム７は、グループ３ファクシミリのモデム機能を実行するブロックとなっている。このため、伝送手順信号をやりとりするための低速モデム機能（Ｖ．２１モデム）を備えている。また、主に画情報（圧縮された画像信号）をやりとりするための高速モデム機能（Ｖ．３４モデム、Ｖ．２９モデム、Ｖ．２７ｔｅｒモデム、等）を備えている。網制御装置６は、本実施形態を公衆電話回線２１に接続するためのブロックとなっており、自動発着信機能を備えている。
【００３１】
制御部９は、ファクシミリ装置としての主要動作を制御するブロックとなっている。このため、スキャナ１、印字部２、操作表示部３、網制御装置６、ＦＡＸモデム７、符号化復号化部８の動作を制御すると共に、画像メモリ４、パラメータメモリ５、システムメモリ１０へのデータの記憶と読み出しとを行うことによって、回覧転送を含むファクシミリ伝送のための手順処理を行う。
【００３２】
なお、上記したブロック１〜１０は、その全てがシステムバス２２に接続されている。このため、ブロック１〜１０の間におけるデータのやりとりは、主に、このシステムバス２２を介して行われる。また、網制御装置６とＦＡＸモデム７とは、直接にデータのやりとりが可能なように接続されている。
【００３３】
図９は、本実施形態のファクシミリ装置が送信または受信を行うときの手順信号図である。同図を参照しつつ、送信側ファクシミリ装置（以下では送信側ＦＡＸと称する）と受信側ファクシミリ装置（以下では受信側ＦＡＸと称する）との間でやりとりされる信号について説明する。
【００３４】
送信の開始時には、送信側ＦＡＸは、呼出信号ＣＮＧを受信側ＦＡＸに送信する。
【００３５】
受信側ＦＡＸは、呼出信号ＣＮＧを認識すると、着呼応答信号ＣＥＤを送信側ＦＡＸに返送する。また、受信側ＦＡＸは、回覧機能（本実施形態の機能）や親展機能などのように、標準化されてはいないが、受信側ＦＡＸにおいて実行可能な機能を示す信号ＮＳＦを返送する。また、受信側ＦＡＸは、受信側ＦＡＸの電話番号を示す信号ＣＳＩを返送する。また、伝送速度や最大受信幅などの、受信側ＦＡＸの性能を示す信号ＤＩＳを返送する。
【００３６】
送信側ＦＡＸは、受信側ＦＡＸからの４種の信号の受信を完了すると、回覧機能や親展機能やなどのように、標準化されてはいないが、送信側ＦＡＸにおいて実行可能である機能を示す信号ＮＳＳを、受信側ＦＡＸに送信する。また、送信側ＦＡＸは、送信側ＦＡＸの電話番号を示す信号ＴＳＩを送信する。また、伝送速度や最大受信幅などの、送信側ＦＡＸの性能を示す信号ＤＣＳを送信する。
【００３７】
また、送信側ＦＡＸは、トレーニング信号Ｔｒ、および、トレーニングチェック信号ＴＣＦを、受信側ＦＡＸに送信する。そして、トレーニングが完了すると、受信側ＦＡＸは、受信準備が完了したことを示す信号ＣＦＲを、送信側ＦＡＸに返送する。
【００３８】
送信側ＦＡＸは、信号ＣＦＲを受け取った後には、送信したい画像を示す画像データ信号（画像信号）ＰＩＸを、受信側ＦＡＸに送信する。なお、送信したい画像が複数頁に渡る場合、送信側ＦＡＸは、最初の頁分の画像データ信号ＰＩＸを送信した後、マルチページ信号ＭＰＳを受信側ＦＡＸに送信する。画像データ信号ＰＩＸに続いてマルチページ信号ＭＰＳを受信した受信側ＦＡＸは、メッセージ確認信号ＭＣＦを、送信側ＦＡＸに返送する。
【００３９】
以後、送信側ＦＡＸから受信側ＦＡＸに画像データ信号ＰＩＸとマルチページ信号ＭＰＳとを送信する動作と、受信側ＦＡＸから送信側ＦＡＸにメッセージ確認信号ＭＣＦを返送する動作とが、送信される画像の頁数より１頁分だけ少ない回数分繰り返される。
【００４０】
そして、送信側ＦＡＸは、最終頁の画像を示す画像データ信号ＰＩＸを送信した後には、最終ページ信号ＥＯＰを送信する。最終ページ信号ＥＯＰを受信した受信側ＦＡＸは、メッセージ確認信号ＭＣＦを送信側ＦＡＸに返送する。メッセージ確認信号ＭＣＦを受信した送信側ＦＡＸは、回線クローズ信号ＤＣＮを受信側ＦＡＸに送信し、回線を切断する。
【００４１】
以下に、本実施形態の回覧転送の機能について、図８を参照しつつ、概略的に説明する。
【００４２】
回覧転送は、同図に示したように、複数のファクシミリ装置Ｆ１〜Ｆｎによって形成された回覧グループにおいて、このグループに属する任意のファクシミリ装置から、グループ内の全てのファクシミリ装置Ｆ１〜Ｆｎに、特定の順序で、回覧すべき画像（回覧用画像）を、順次、転送する動作となっている。
【００４３】
なお、回覧グループを構築するときには、回覧グループを構築しようとする１台のファクシミリ装置（例えば、ファクシミリ装置Ｆ１）において、回覧先登録用情報が作成される。この回覧先登録用情報には、回覧転送であることを示すコード、グループコード、回覧グループに属するファクシミリ装置Ｆ１〜Ｆｎの全ての電話番号、回覧を開始したファクシミリ装置Ｆ１を示すコード、回覧順序を示す情報、などが含まれている。
【００４４】
そして、作成された回覧先登録用情報は、送信側の非標準機能の信号ＮＳＳに乗せて、回覧グループに属するファクシミリ装置Ｆ２〜Ｆｎに、順次転送されていく。また、この回覧先登録用情報を受信したファクシミリ装置においては、自らが回覧の起点となるときに使用する回覧用情報の作成に必要な情報（以下では回覧先情報と称する）を、回覧先登録用情報から取り出し、内部に記憶する。
【００４５】
すなわち、各ファクシミリ装置Ｆ２〜Ｆｎは、回覧先登録用情報を受信したときには、受信した回覧先登録用情報から回覧先情報を読み取る。また、読み取った回覧先情報を、パラメータメモリ５内の回覧先情報記憶部１１に格納する。そして後、回覧先登録用情報により示された転送先のファクシミリ装置（Ｆ２〜Ｆｎのうちの１つ）に、回覧先登録用情報を送信する。
【００４６】
上記動作がファクシミリ装置Ｆ２〜Ｆｎの全てにおいて実行されたときには、回覧先登録用情報は、起点となるファクシミリ装置Ｆ１に送信される。従って、ファクシミリ装置Ｆ１においては、回覧グループに属するファクシミリ装置Ｆ１〜Ｆｎの全てにおいて、回覧先情報が記憶されたことが確認される。
【００４７】
このため、以後では、ファクシミリ装置Ｆ１〜Ｆｎの全ては、回覧の起点となるときに必要となる回覧用情報を、人手によるデータの入力を行うことなく、作成することができる。また、回覧の起点となるファクシミリ装置は、作成した回覧用情報を、信号ＮＳＳ内のデータとして送信する。
【００４８】
なお、回覧グループを構築するため、回覧先登録用情報の回覧を行うとき、同時に、テスト用の画像である回覧テスト画像を、併せて送信することができる。また、回覧テスト画像に代えて、回覧すべき画像である回覧用画像を、併せて送信することができる。
【００４９】
以下に、図６を参照しつつ、信号ＮＳＳについて説明する。
【００５０】
信号ＮＳＳの先頭には、ＮＳＳコード、ＣＣＩＴＴメンバーズコード、メーカコードの３種のコードが設定される。また、これらのコードの後方には、ＦＩＦ（ファクシミリ・インフォメーション・フィールド）が設定される。そして、上記において述べた非標準的な機能（親展送信や回覧送信）は、このＦＩＦ内のコードとして示される。また、回覧先登録用情報あるいは回覧用情報も、このＦＩＦ内のコードとして示される。
【００５１】
すなわち、中継を示すコードに続いて、回覧送信であることを示すコード、回覧グループを識別するためのグループコードが設定される。また、回覧転送の起点となるファクシミリ装置（以下では、回覧開始者と称する）の電話番号（例えば、ファクシミリ装置Ｆ１の電話番号）、回覧グループに属する全てのファクシミリ装置Ｆ１〜Ｆｎの電話番号（回覧先番号）が設定される。
【００５２】
上記コード構成からなる信号ＮＳＳを受信した場合、ファクシミリ装置Ｆ１〜Ｆｎは、信号ＮＳＳのＦＩＦから取り出した回覧用情報と、回覧先登録用情報に基づいてパラメータメモリ５の回覧先情報記憶部１１に記憶した回覧先情報とを照合することによって、回覧転送を行う。なお、この回覧転送において、回覧開始者の電話番号は、回覧転送が終了したことを、最終的に回覧開始者に戻すために使用される。
【００５３】
また、回覧用情報には、回覧順序の変更に関する情報を含ませることが可能である。すなわち、回覧転送を行う度に、ＦＩＦの中に、回覧の順序を変更するコードを設定することによって、回覧の順序を変更させることができる。そして、このようにする場合には、回覧における回覧順序の優先度を、回覧の画像の内容に応じて変えることができ、使い勝手が向上することになる。
【００５４】
また、回覧転送において、ビジー状態となっているファクシミリ装置があるときには、ビジー状態となっているファクシミリ装置への回覧の順序を、後方の順序に変更することができる。
【００５５】
図１は、回覧先登録用情報を回覧させる場合の実施形態の主要動作を示すフローチャートである。必要に応じて同図を参照しつつ、回覧先登録用情報を用いることによって、回覧グループ内のファクシミリ装置Ｆ１〜Ｆｎに、回覧用情報の作成に必要となる回覧先情報を記憶させるための手順について説明する。
【００５６】
ステップＳ１における判定において、着信の検出以前に送信を行う場合には、回覧用画像を回覧させるための送信、または、回覧先登録用情報を回覧させるための送信、または、回覧用画像と回覧先登録用情報とを回覧させるための送信、または、その他の送信のうちから、１つが選択される（ステップＳ９，ステップＳ１１，ステップＳ１４，ステップＳ１６）。
【００５７】
そして、回覧グループが既に構築されているため、構築された回覧グループに対して回覧を行う回覧開始者（回覧の起点）となる場合、すなわち、回覧用画像を回覧させるための送信となる場合、動作は、ステップＳ９からステップＳ１０に移行する。そして、ステップＳ１０において、回覧用情報が設定された信号ＮＳＳが作成される。次いで、回覧用情報を含む信号ＮＳＳと回覧用画像との回覧送信が行われる（ステップＳ１７）。
【００５８】
一方、回覧先登録用情報を回覧させるための送信となる場合、動作は、ステップＳ１１からステップＳ１２に移行し、回覧テスト画像（回覧のテストのためにのみ使用される画像）が作成される。次いで、必要となる各種のデータが操作表示部３に入力され、回覧先登録用情報が設定された信号ＮＳＳが作成される（ステップＳ１３）。そして後、回覧先登録用情報を含む信号ＮＳＳと回覧テスト画像との回覧送信が行われる（ステップＳ１７）。
【００５９】
一方、回覧用画像と回覧先登録用情報とを回覧させるための送信となる場合、動作は、ステップＳ１４からステップＳ１５に移行し、回覧先登録用情報が設定された信号ＮＳＳが作成される。そして後、回覧先登録用情報を含む信号ＮＳＳと回覧用画像との回覧送信が行われる（ステップＳ１７）。
【００６０】
なお、上記した送信とは異なる種類の送信となる場合、動作は、ステップＳ１６から図示されないステップに移行し、移行したステップにおいて、送信内容に対応した処理が実行される。
【００６１】
以上で、着信以前の送信の場合についての動作説明を終了し、以下に、着信があった場合の動作について説明する。
【００６２】
ステップＳ１において、着信を示す呼出信号ＣＮＧを検出すると、着呼応答信号ＣＥＤを返送する（ステップＳ２）。また、標準化されてはいないが、受信側において実行可能な機能を示す信号ＮＳＦ、受信側の電話番号を示す信号ＣＳＩ、伝送速度や最大受信幅などの、受信側の性能を示す信号ＤＩＳを返送する（ステップＳ３）。
【００６３】
次いで、標準化されてはいないが、送信側において実行可能である機能を示す信号ＮＳＳ、送信側の電話番号を示す信号ＴＳＩ、伝送速度や最大受信幅などの、送信側の性能を示す信号ＤＣＳを受信する。また、トレーニング信号Ｔｒ、および、トレーニングチェック信号ＴＣＦを受信する（ステップＳ４）。そして、ステップＳ４において受信した信号ＮＳＳ中に、回覧用情報または回覧先登録用情報が含まれているかどうかを調べる（ステップＳ５）。
【００６４】
回覧用情報が含まれている場合には、回覧用画像のための回覧であると判定し、回覧用画像のメモリ受信を行う（ステップＳ６）。そして、回覧開始者であるときには、信号ＮＳＳ中に含められた回覧受取情報に基づき、回覧送信結果レポートを印字する（ステップＳ７，Ｓ８）。
【００６５】
一方、回覧開始者でない場合には、受信した信号ＮＳＳに、回覧用画像を受け取ったことを示す回覧受取情報を付加する（ステップＳ１８）。そして、受信した信号ＮＳＳ中に含まれている回覧用情報に基づき、メモリ受信した回覧用画像を、次の転送先に回覧送信する（ステップＳ１９）。次いで、回覧用画像の印字を行う（ステップＳ２０）。
【００６６】
一方、受信した信号ＮＳＳに回覧先登録用情報が含まれている場合には、回覧先登録用情報のための回覧であると判定し、回覧先登録受信を行う（ステップＳ２１）。すなわち、回覧テスト画像のメモリ受信を行う（ステップＳ２２）。次いで、受信した信号ＮＳＳ中の回覧先登録用情報から回覧先情報を読み取り、記憶する（ステップＳ２３）。このとき、受信した回覧先登録用情報に含まれる自らの回線番号を削除し、記憶手段には、転送先の回線番号として１回線分のみを記憶する。そして、回覧開始者であるときには、信号ＮＳＳ中に含められた回覧受取情報に基づき、回覧送信結果レポートを印字する（ステップＳ２４，Ｓ２５）。
【００６７】
一方、回覧開始者でない場合には、受信した信号ＮＳＳに、回覧先登録用情報を受け取ったことを示す受取情報を付加する（ステップＳ２６）。そして、受信した信号ＮＳＳ中に含まれている回覧先登録用情報に基づき、メモリ受信した回覧テスト画像を、信号ＮＳＳと共に、次の転送先に回覧送信する（ステップＳ２７）。次いで、メモリ受信した回覧テスト画像の消去を行うことによって、画像メモリ４に不要な画像を残さないようにする（ステップＳ２８）。
【００６８】
一方、受信した信号ＮＳＳに回覧先登録用情報が含まれると共に、回覧用画像を受信した場合には、回覧用画像と回覧先登録用情報とのための回覧であると判定し、回覧用画像・回覧先登録用情報の同時受信を行う（ステップＳ２９）。すなわち、回覧用画像のメモリ受信を行う（ステップＳ３０）。次いで、受信した信号ＮＳＳ中の回覧先登録用情報から回覧先情報を読み取り、記憶する（ステップＳ３１）。そして、回覧開始者であるときには、信号ＮＳＳ中に含められた回覧受取情報および回覧先登録用情報の受取情報に基づき、回覧送信結果レポートと回覧先登録送信結果レポートとを印字する（ステップＳ３２，Ｓ３３）。
【００６９】
一方、回覧開始者でない場合には、受信した信号ＮＳＳに、回覧先登録用情報の受取情報、および、回覧受取情報を付加する（ステップＳ３５）。そして、受信した信号ＮＳＳ中に含まれている回覧先登録用情報に基づき、メモリ受信した回覧用画像を、信号ＮＳＳと共に、次の転送先に回覧送信する（ステップＳ３６）。次いで、メモリ受信した回覧用画像の印字を行う（ステップＳ３７）。
【００７０】
また、上記した受信とは異なる種類の受信となる場合、動作は、ステップＳ３４から、図示されないステップに移行し、必要となる処理が実行される。
【００７１】
なお、上記したステップＳ１０において、回覧用情報を付加した信号ＮＳＳを作成するときには、パラメータメモリ５の回覧先情報記憶部１１に記憶された回覧先情報が参照される。
【００７２】
図２は、図１における回覧送信処理（ステップＳ１７，Ｓ１９，Ｓ２７，Ｓ３６）の信号のやりとりの詳細を示すフローチャートとなっている。また、図３は、図１におけるメモリ受信処理（ステップＳ６，Ｓ２２，Ｓ３０）の信号のやりとりの詳細を示すフローチャートとなっている。
【００７３】
なお、これらのフローチャートは、図９の手順を、送信側または受信側から示したものであるため、詳細な説明を省略する。
【００７４】
図４は、回覧グループを構築するため、回覧先登録用情報を送信するとき、その送信方法を、同時同報方式とした場合の、実施形態の主要動作を示すフローチャートである。
【００７５】
ステップＳ４１における判定において、着信の検出以前に送信を行う場合には、回覧用画像を回覧させるための送信、あるいは、回覧先登録用情報を同時同報方式で送信、あるいは、その他の送信のうちから、１つが選択される（ステップＳ４９，ステップＳ５２，ステップＳ５６）。
【００７６】
そして、回覧グループが既に構築されているため、構築された回覧グループに対して回覧を行う回覧開始者（回覧の起点）となる場合、すなわち、回覧用画像を回覧させるための送信となる場合、動作は、ステップＳ４９からステップＳ５０に移行する。そして、ステップＳ５０において、回覧用情報が設定された信号ＮＳＳが作成される。次いで、回覧用情報を含む信号ＮＳＳと回覧用画像との回覧送信が行われる（ステップＳ５１）。
【００７７】
一方、回覧先登録用情報を同時同報方式で送信する場合、動作は、ステップＳ４９からステップＳ５２に移行し、さらに、ステップＳ５３に移行する。そして、ステップＳ５３において、回覧テスト画像が作成される。次いで、回覧先登録用情報が設定された信号ＮＳＳが作成される（ステップＳ５４）。そして後、回覧先登録用情報を含む信号ＮＳＳと回覧テスト画像とが同時同報送信される（ステップＳ５５）。
【００７８】
なお、上記した送信とは異なる送信となる場合には、ステップＳ５２からステップＳ５６に移行し、次いで、図示されないステップに移行する。そして、移行したステップにおいて、送信内容に対応した処理が実行される。
【００７９】
一方、ステップＳ４１において、着信を示す呼出信号ＣＮＧが検出されると、着呼応答信号ＣＥＤを返送する（ステップＳ４２）。また、標準化されてはいないが、受信側において実行可能な機能を示す信号ＮＳＦ、受信側の電話番号を示す信号ＣＳＩ、伝送速度や最大受信幅などの、受信側の性能を示す信号ＤＩＳを返送する（ステップＳ４３）。
【００８０】
次いで、標準化されてはいないが、送信側において実行可能である機能を示す信号ＮＳＳ、送信側の電話番号を示す信号ＴＳＩ、伝送速度や最大受信幅などの、送信側の性能を示す信号ＤＣＳを受信する。また、トレーニング信号Ｔｒ、および、トレーニングチェック信号ＴＣＦを受信する（ステップＳ４４）。そして、ステップＳ４４において受信した信号ＮＳＳ中に、回覧用情報または回覧先登録用情報が含まれているかどうかを調べる（ステップＳ４５）。
【００８１】
回覧用情報が含まれている場合には、回覧用画像のための回覧であると判定し、回覧用画像のメモリ受信を行う（ステップＳ４６）。そして、回覧開始者であるときには、信号ＮＳＳ中に含められた回覧受取情報に基づき、回覧送信結果レポートを印字する（ステップＳ４７，Ｓ４８）。
【００８２】
一方、回覧開始者でない場合には、受信した信号ＮＳＳに、回覧用画像を受け取ったことを示す回覧受取情報を付加する（ステップＳ５７）。そして、受信した信号ＮＳＳ中に含まれている回覧用情報に基づき、メモリ受信した回覧用画像を、次の転送先に回覧送信する（ステップＳ５８）。次いで、回覧用画像の印字を行う（ステップＳ５９）。
【００８３】
一方、受信した信号ＮＳＳに回覧先登録用情報が含まれている場合には、回覧先登録用情報のための送信であると判定し、回覧先登録受信を行う（ステップＳ６０）。すなわち、回覧テスト画像のメモリ受信を行う（ステップＳ６１）。次いで、受信した信号ＮＳＳ中の回覧先登録用情報から回覧先情報を読み取り、記憶する（ステップＳ６２）。そして、回覧先登録用情報の受取情報を付加した信号ＮＳＳを作成し、送信側に返送する（ステップＳ６３）。次いで、メモリ受信した回覧テスト画像の消去を行うことによって、画像メモリ４に不要な画像を残さないようにする（ステップＳ６４）。
【００８４】
なお、回覧先登録用情報の送信元であった場合には、受信した信号ＮＳＳには、回覧先登録用情報の受取情報が含まれている。従って、この場合には、動作は、ステップＳ６０からステップＳ６５に移行する。そして、さらにステップＳ６６に移行し、回覧先登録用情報の受取情報が含まれた信号ＮＳＳの受信と、回覧テスト画像のメモリ受信とを行う。そして、信号ＮＳＳ中に含められた回覧先登録用情報の受取情報に基づき、回覧先登録送信結果レポートを印字する（ステップＳ６７）。次いで、メモリ受信した回覧テスト画像の消去を行うことによって、画像メモリ４に不要な画像を残さないようにする（ステップＳ６８）。
【００８５】
また、上記した受信とは異なる受信となる場合、動作は、ステップＳ６５，Ｓ６９から、図示されないステップに移行し、必要となる処理が実行される。
【００８６】
なお、上記したステップＳ５０において、回覧用情報を付加した信号ＮＳＳを作成するときには、回覧用情報が予め作成される。また、このときの回覧用情報の作成においては、パラメータメモリ５の回覧先情報記憶部１１に記憶された回覧先情報が参照される。
【００８７】
図５は、図４に示す同報送信処理（ステップＳ５８）の詳細な動作を示すフローチャートとなっている。
【００８８】
すなわち、同時同報送信を行うときには、予め入力され、回覧先登録用情報の作成に用いた送信先リストを読み出す（ステップＳ７１）。そして、送信先リストの先頭に位置する送信先のデータ（次送信先データ）を読み出し（ステップＳ７２）、読み出した次送信先データに対して発呼（信号ＣＮＧの送信）を行う（ステップＳ７３）。
【００８９】
そして、着呼応答である信号ＣＥＤを受信した後には、受信側の実行可能な機能を示す信号ＮＳＦ、受信側の電話番号を示す信号ＣＳＩ、伝送速度や最大受信幅などの、受信側の性能を示す信号ＤＩＳを受信する（ステップＳ７４，Ｓ７５）。次いで、標準化されてはいないが、送信側において実行可能である機能を示す信号ＮＳＳ、送信側の電話番号を示す信号ＴＳＩ、伝送速度や最大受信幅などの、送信側の性能を示す信号ＤＣＳを送信する。また、トレーニング信号Ｔｒ、および、トレーニングチェック信号ＴＣＦを送信する（ステップＳ７６）。
【００９０】
そして、トレーニングが完了すると、回覧テスト画像の送信を行う（ステップＳ７７）。そして、回覧テスト画像の送信が終了したときには、最終ページ信号ＥＯＰを送信する（ステップＳ７８）。次いで、メッセージ確認信号ＭＣＦを受信したときには（ステップＳ７９）、回線クローズ信号ＤＣＮを送信し（ステップＳ８０）、回線を切断する（ステップＳ８１）。
【００９１】
以後、上記したステップＳ７２〜Ｓ８１の動作を、送信先リストの全ての送信先に対して繰り返す。そして、送信先リストの全ての送信先に対して送信が完了したときには、動作を終了する。
【００９２】
【発明の効果】
以上説明したように、本発明のファクシミリ装置は、回覧用情報が付加された回覧用画像を受信したときには、受信した回覧用画像を、回覧用情報により示される転送先に転送するファクシミリ装置に適用し、回覧用情報の作成に必要なデータが含まれた情報を回覧先情報とし、回覧先情報が含まれた情報を回覧先登録用情報とするとき、回覧先登録用情報を受信したときには、回覧先登録用情報から回覧先情報を取り出して記憶する記憶手段と、回覧用画像の回覧の起点となるときには、前記記憶手段によって記憶された回覧先情報に基づいて回覧用情報を作成する回覧用情報作成手段と、回覧先登録用情報を受信したときには、回覧先登録用情報の受信を示す受取情報を送信する手段と、回覧先登録用情報の送信の起点となった状態において、他のファクシミリ装置から前記受取情報を受信したときには、受信した受取情報を報知する報知手段とを備えている。従って、回覧先登録用情報を受信するのみで、受信した装置は、回覧用情報の作成が可能な状態となる。このため、回覧グループに属するファクシミリ装置のうちの１台において、回覧グループに属するファクシミリ装置に関するデータを入力するのみで、回覧グループに属するファクシミリ装置の全てが回覧の起点になることができる。また、報知手段の報知によって、回覧グループにおける回覧先登録用情報の受信状況を確認することができる。
【００９３】
また、本発明に係るファクシミリ装置は、回覧用情報が付加された回覧用画像を受信したときには、受信した回覧用画像を、回覧用情報により示される転送先に転送するファクシミリ装置に適用し、回覧用情報の作成に必要なデータが含まれた情報を回覧先情報とし、回覧先情報が含まれた情報を回覧先登録用情報とするとき、回覧先登録用情報を受信したときには、回覧先登録用情報から回覧先情報を取り出して記憶する記憶手段と、回覧用画像の回覧の起点となるときには、前記記憶手段によって記憶された回覧先情報に基づいて回覧用情報を作成する回覧用情報作成手段と、回覧先登録用情報と回覧テスト画像とを受信したときには、受信した回覧テスト画像を画像メモリに記憶すると共に、受信した回覧先登録用情報と回覧テスト画像とを送信する手段と、回覧テスト画像の送信を完了したときには、前記画像メモリに記憶した回覧テスト画像を、報知することなく消去する手段とを備えている。従って、回覧先登録用情報を受信するのみで、受信した装置は、回覧用情報の作成が可能な状態となる。このため、回覧グループに属するファクシミリ装置のうちの１台において、回覧グループに属するファクシミリ装置に関するデータを入力するのみで、回覧グループに属するファクシミリ装置の全てが回覧の起点になることができる。また、回覧テスト画像の送信が完了したため、画像メモリから回覧テスト画像を消去したときには、画像メモリは空となるので、不要な画像の画像メモリへの残留を防止することができる。
【００９４】
また、回覧先登録用情報を受信したときには、受信した回覧先登録用情報に含まれる自らの回線番号を削除し、前記記憶手段には転送先の回線番号として１回線分のみを記憶している。これにより、受信した回覧先登録用情報を確実に次の回覧先に転送することができる。
【００９５】
また、回覧先登録用情報を受信したときには、受信した回覧先登録用情報により示される転送先に回覧先登録用情報を転送している。従って、回覧先登録用情報は、回覧グループ内において順次転送されるので、回覧グループを構築するときの通信コストを分担させることができる。
【００９６】
また、回覧先登録用情報と回覧用画像とを受信したときには、受信した回覧先登録用情報と回覧用画像とを、回覧先登録用情報により示される転送先に転送している。従って、回覧先登録用情報が回覧されるときには、併せて、回覧用画像も回覧されるので、回覧グループを構築するとき、回覧用画像の回覧を併せて行うことができる。
【図面の簡単な説明】
【図１】図１は、本発明に係るファクシミリ装置の実施形態が、回覧先登録用情報を回覧させる場合の主要動作を示すフローチャートである。
【図２】図１に示す回覧送信処理（ステップＳ１７）における信号のやりとりの詳細を示すフローチャートである。
【図３】図１に示すメモリ受信処理（ステップＳ６，Ｓ２２，Ｓ３０）における信号のやりとりの詳細を示すフローチャートである。
【図４】回覧グループを構築するため、回覧先登録用情報を送信するとき、その送信方法を同時同報方式とした場合の、実施形態の主要動作を示すフローチャートである。
【図５】図４に示す同報送信処理（ステップＳ５８）の詳細な動作を示すフローチャートである。
【図６】信号ＮＳＳの詳細な構成を示す説明図である。
【図７】実施形態の電気的構成を示すブロック線図である。
【図８】回覧転送の概略を示す説明図である。
【図９】実施形態が送信または受信を行うときの手順信号図である。
【符号の説明】
４  画像メモリ
Ｓ１０，Ｓ５０  回覧用情報作成手段
Ｓ２３，Ｓ３１，Ｓ６２  記憶手段
Ｓ２５，Ｓ３３，Ｓ６７  報知手段
【図１】
0003571621.tif 000002
【図２】
0003571621.tif 000003
【図３】
0003571621.tif 000004
【図４】
0003571621.tif 000005
【図５】
0003571621.tif 000006
【図６】
0003571621.tif 000007
【図７】
0003571621.tif 000008
【図８】
0003571621.tif 000009
【図９】
0003571621.tif 000010